【事件の表示】
　特願２０００−２２２３３１「パチンコ機」拒絶査定不服審判事件〔平成１３年　２月２０日出願公開、特開２００１−　４６６４７〕について、次のとおり審決する。
【結　論】
　本件審判の請求は、成り立たない。
【理　由】
第１．手続の経緯　
　本願は、平成９年７月２日に出願した特願平９−１７７３４８号の一部を平成１２年７月２４日に新たな出願としたものであり、同年９月１１日付で手続補正がなされ、平成１５年８月２９日付の拒絶理由通知に対して同年１１月４日付で手続補正がなされ、平成１６年２月２７日付の拒絶理由通知に対して同年５月６日付で手続補正がなされ、これに対し、同年６月７日付で手続補正が却下されるとともに拒絶査定がなされ、これに対し、同年７月１４日に拒絶査定不服の審判請求がなされるとともに同年７月３０日付で手続補正がなされたものである。
　
　
第２．平成１６年７月３０日付の手続補正についての補正却下の決定　
〔補正却下の決定の結論〕　
　平成１６年７月３０日付の手続補正（以下、「本件補正」という。）を却下する。　
　
［理由］　
【１】本件補正の内容　
　本件補正により、特許請求の範囲の請求項１は、平成１５年１１月４日付手続補正により補正された特許請求の範囲の請求項１に記載された
　「【請求項１】　遊技域中に設けられた表示画面と、
　該表示画面中の一領域に図柄を表示する表示領域を設定し、該表示領域に表示する前記図柄を予め定められた順列に従って連続的に変更する変動表示を行った後、該変動表示を停止させて停止図柄を明示する表示制御手段と、
　該表示制御手段が起動し、前記停止図柄として特定の図柄が前記表示領域に明示された場合のみ、特別遊技を実行する特別遊技実行手段とを備えたパチンコ機において、
　前記表示制御手段は、
　前記表示領域での停止図柄の組み合わせが、特定の図柄の組み合わせを構成する可能性があるリーチ状態であるとき、該リーチ状態で変動表示中の表示領域において一度に表示する前記図柄の数を増加表示できるように拡大表示領域を形成するとともに、該拡大表示領域で変動表示中の複数の図柄のうち１つを明示しながらたどり、停止図柄を強調表示して選択明示する手段を備えることを特徴とするパチンコ機。」から、　
　
　「【請求項１】　遊技域中に設けられた表示画面と、
　該表示画面中の一領域に図柄を表示する表示領域を設定し、該表示領域に表示する前記図柄を予め定められた順列に従って連続的に変更する変動表示を行った後、該変動表示を停止させて停止図柄を明示する表示制御手段と、
　該表示制御手段が起動し、前記停止図柄として特定の図柄が前記表示領域に明示された場合のみ、特別遊技を実行する特別遊技実行手段とを備えたパチンコ機において、
　前記表示制御手段は、
　前記表示領域での停止図柄の組み合わせが、特定の図柄の組み合わせを構成する可能性があるリーチ状態であるとき、該リーチ状態で変動表示中の表示領域において一度に表示する前記図柄の数を増加表示できるように拡大表示領域を形成するとともに、該拡大表示領域で変動表示中の複数の図柄の中から無秩序で、且つ出現の頻度が等しい状態で図柄を抽出する手段と、
　前記拡大表示領域中に表示する図柄の順番を前記順列通りに行うとともに、前記無秩序で、且つ出現の頻度が等しい状態で抽出された図柄を明示することで、該拡大表示領域で変動表示中の複数の図柄のうち１つを明示しながらたどり、停止図柄を強調表示して選択明示する手段とを備えることを特徴とするパチンコ機。」
へと補正された。　
　
　
【２】独立特許要件違反の適否　
［１］補正の適否
　本件補正により特許請求の範囲の請求項１にした補正は、拡大表示領域で変動表示中の複数の図柄のうち１つを明示しながらたどり、停止図柄を強調表示して選択明示する手段を備える表示制御手段が、「拡大表示領域で変動表示中の複数の図柄の中から無秩序で、且つ出現の頻度が等しい状態で図柄を抽出する手段」を備えたものであり、また、「前記拡大表示領域中に表示する図柄の順番を前記順列通りに行うとともに、前記無秩序で、且つ出現の頻度が等しい状態で抽出された図柄を明示する」ものであることを特定したものであるが、これらは発明特定事項の直列的付加に当たり、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
［２］引用例　
（１）引用例の記載事項　
　原査定の拒絶の理由に引用された、平成８年５月１４日に頒布された刊行物である引用例（特開平８−１１７４０７号公報）には、以下の事項が記載されている。
（ア）「【００１２】・・・表示器１１の画像表示装置１０によって表示される画面を、表示箇所の全てを表示する通常画面１１ａと、・・・複数種類の図柄２０の全てを１個づつ表示する特別画面１１ｂとにより構成して、この特別画面１１ｂ上において、各図柄２０の内のどれを選択するかを動的に表示するようにした・・・」（第３頁第３欄８〜２４行）　
（イ）「【００１６】図２に示した実施例では、通常画面１１ａにおける左及び中表示箇所１２Ｌ及び１２Ｃによる表示が（イ）に示したようなリーチ目となったとき、通常画面１１ａは図２の（ロ）に示すような特別画面１１ｂに変換されて、用意されている全ての図柄２０が図柄円盤２１上に表示される。すなわち、実施例では、図２の（イ）に示した右表示箇所１２Ｒにどのような図柄２０がきて停止するのかを、特別画面１１ｂの全体を利用して一目瞭然に表示するのであり、・・・。　
　【００１７】換言すれば、本発明に係る画像表示装置１０によると、図２の（イ）に示した右側の表示箇所１２Ｒにおいて、遊技者にとって停止表示して欲しい図柄を含む全ての図柄が特別画面１１ｂ上に表示され、なおかつ停止表示して欲しい図柄が今どこに存在していて、それが当り矢印２１ａに対してどれだけ離れているかが、直ちにかつ時々刻々と表示されることになる。」（第３頁第４欄９〜２６行）　
（ウ）「【００２１】図１には本発明に係るパチンコ機１００の正面図が示してあり、・・・この遊技領域の略中央に、画像表示装置１０を構成している液晶モニター等の表示器１１を配置して、・・・画像表示装置１０の表示器１１において大当り図柄が表示されたとき、遊技領域の下方部分に設けたアタッカー４２を開放して大当り遊技状態を現出させるようにしたものである。」（第４頁第５欄９〜２３行）　　
（エ）「【００２４】さて、このパチンコ機１００の前面から見える表示器１１は、・・・通常は図２または図３の各（イ）にて示した３個（左、中、及び右）の表示箇所１２Ｌ、１２Ｃ、及び１２Ｒを表示する通常画面１１ａと、この通常画面１１ａにおいてリーチ目が表示された後に通常画面１１ａに代わって表示される特別画面１１ｂとを表示する機構を有しているものであり、後述する画像表示装置１０によって制御されるものである。」（第４頁第５欄４８行〜第６欄６行）
（オ）「【００２５】・・・表示器１１を制御する画像表示装置１０は、・・・表示器１１と、・・・制御回路１３と、・・・とを備えているものである。表示器１１は、制御回路１３に接続されてこれにより表示制御されるものである。」（第４頁第６欄１１行〜第６欄１９行）　
（カ）「【００２９】ところで、通常画面１１ａの各表示箇所１２Ｌ、１２Ｃ及び１２Ｒにおいては、図２または図３の各（ロ）において示したような全ての図柄２０が垂直方向に上から下に向かってスクロールするように表示されるものであり、・・・左及び中の２つの各表示箇所１２Ｌ及び１２Ｃにおいて同一の図柄２０が停止表示されたとき、すなわちリーチ目となったときに、図２及び図３の各（ロ）で例示したような特別画面１１ｂを表示器１１にて表示するものである。」（第５頁第７欄４〜１６行）
（キ）「【００３０】そして、リーチ状態となって切り換えられた特別画面１１ｂでは、・・・それまで通常画面１１ａ中の右表示箇所１２Ｒにおいてスクロール表示されていた図柄２０の全てが画像表示装置１０の画面を最大限に利用して表示される。図２に示した実施例では、全ての図柄２０を表示した図柄円盤２１が、使用者の目には回転しているように見えるように表示するものであり、この特別画面１１ｂ上の特定個所に一つの当り矢印２１ａを固定的に表示するものである。そして、この図柄円盤２１を一定時間回転表示してから停止させたとき、当り矢印２１ａに対向する図柄２０が何であるかによって、大当りか否かを判定するようにしたものである。なお、図柄円盤２１は、・・・一旦停止した後にさらに１コマ以上前進あるいは後退させたりすることによって、所謂リーチアクションを複雑なものとすることができるものである。」（第５頁第７欄２４〜４０行）　
（ク）「【００３２】・・・通常画面１１ａにおいて表示していた３つの表示箇所１２Ｌ、１２Ｃ及び１２Ｒを特別画面１１ｂの隅に小さく表示するよにしているものであり、通常画面１１ａと特別画面１１ｂとの切換えがあっても、各画面における連続性を表示するようにしている。換言すれば、リーチ目となったときに、通常画面１１ａにおいて全ての表示箇所１２Ｌ、１２Ｃ及び１２Ｒを順次段階的に小さくしながら隅の方へ移行させて表示し、その移行が完了した時点で特別画面１１ｂに切り換えるようにしているものである。」（第５頁第７欄５０行〜第８欄１０行）　
（ケ）【図２】（イ）（ロ）には、表示箇所１２Ｌ、１２Ｃ、１２Ｒが、表示器１１中の一領域に設定された点が記載されている。
（コ）【図２】（ロ）には、回転表示する図柄２０の順番を、予め定められた順列とした点が記載されている。
　
（２）引用例に記載の発明
　上記（ア）〜（コ）の記載及び図面によれば、引用例には、以下の発明（以下、「引用発明」という。）が記載されている。
「遊技領域の略中央に配置された表示器１１と、　
　該表示器１１中の一領域に図柄２０を表示する表示箇所１２Ｌ、１２Ｃ、１２Ｒを設定し、該表示箇所１２Ｌ、１２Ｃ、１２Ｒに表示する前記図柄２０をスクロールするように表示を行った後、停止表示する画像表示装置１０の制御回路１３と、
　該画像表示装置１０の制御回路１３による表示制御により、前記表示器１１において大当り図柄が表示されたとき、大当り遊技状態を現出させる手段とを備えたパチンコ機において、
　前記画像表示装置１０の制御回路１３は、
　前記表示箇所１２Ｌ、１２Ｃで停止表示された前記図柄２０が同一であるリーチ目となったとき、リーチ状態で、前記表示箇所１２Ｌ、１２Ｃ、１２Ｒを隅に小さく表示しつつ、全ての前記図柄２０を表示した図柄円盤２１が使用者の目には回転しているように見えるように前記画像表示装置１０の画面を最大限に利用して表示される特別画面１１ｂを表示するとともに、該特別画面１１ｂで回転表示中の複数の図柄の中から、回転表示を停止させて当り矢印２１ａに前記図柄２０を対向させる手段と、
　前記回転表示を一旦停止させて当り矢印２１ａに前記図柄２０を対向させることで、該特別画面１１ｂで回転表示中の複数の前記図柄２０のうち１つを当り矢印２１ａに対向させ、さらに１コマ以上前進あるいは後退させ、回転表示の停止により当り矢印２１ａに対向した前記図柄２０を選択して表示する手段とを備えたパチンコ機。」　
　
　
［３］本願補正発明について
（１）本願補正発明と引用発明との対比　
（ア）本願補正発明と引用発明とを対比すると、引用発明の「遊技領域の略中央」は、本願補正発明の「遊技域中」に相当し、以下同様に、　
　「表示器１１」は、「表示画面」に、　
　「遊技領域の略中央に配置された表示器１１」は、「遊技域中に設けられた表示画面」に、
　「表示箇所１２Ｌ、１２Ｃ、１２Ｒ」は、「表示領域」に、　
　「スクロールするように表示」は、「連続的に変更する変動表示」に、　
　「停止表示する」は、「変動表示を停止させて停止図柄を明示する」に、
　「画像表示装置１０の制御回路１３」は、「表示制御手段」に、　
　「画像表示装置１０の制御回路１３による表示制御により」は、「表示制御手段が起動し」に、　
　「表示器１１において大当り図柄が表示されたとき」は、「停止図柄として特定の図柄が（前記）表示領域に明示された場合のみ」に、　
　「大当り遊技状態を現出させる手段」は、「特別遊技を実行する特別遊技実行手段」に、　
　「表示箇所１２Ｌ、１２Ｃで停止表示された（前記）図柄２０が同一であるリーチ目となったとき」は、「表示領域での停止図柄の組み合わせが、特定の図柄の組み合わせを構成する可能性があるリーチ状態であるとき」に、　
　「特別画面１１ｂ」は、「拡大表示領域」に、　
　「特別画面１１ｂを表示する」は、「拡大表示領域を形成する」に、　
　「回転表示中」は、「変動表示中」に、　
　「回転表示を停止させて当り矢印２１ａに（前記）図柄２０を対向させる」は、「図柄を抽出する」に、　
　「回転表示を一旦停止させて当り矢印２１ａに（前記）図柄２０を対向させることで」は、「抽出された図柄を明示することで」に、　
　「回転表示の停止により当り矢印２１ａに対向した前記図柄２０」は、「停止図柄」に、　
　「選択して表示する」は、「選択明示する」に、それぞれ相当する。　
（イ）引用発明の「表示箇所１２Ｌ、１２Ｃ、１２Ｒ（表示領域）を隅に小さく表示しつつ、全ての（前記）図柄２０を表示した図柄円盤２１が使用者の目には回転しているように見えるように（前記）画像表示装置１０の画面を最大限に利用して表示される特別画面１１ｂ（拡大表示領域）を表示される」は、本願補正発明の「変動表示中の表示領域において一度に表示する（前記）図柄の数を増加表示できるように拡大表示領域を形成する」に対応する。　
（ウ）引用発明は、全ての図柄２０を表示した図柄円盤２１から１つの図柄２０を抽出するものであるから、本願補正発明とは、図柄の抽出を「出現の頻度が等しい状態で」行うものである点で共通する。
（エ）引用発明における「特別画面１１ｂ（拡大表示領域）で回転表示中（変動表示中）の複数の（前記）図柄２０のうち１つを当り矢印２１ａに対向させ、さらに１コマ以上前進あるいは後退させ」る動作は、当り矢印２１ａに対向させることによって１つを明示した後に、さらに次の図柄の明示に向けた前進あるいは後退（回転）を継続することによって、明示される図柄が切り替えられるものであるから、引用発明は、本願補正発明における「拡大表示領域で変動表示中の複数の図柄のうち１つを明示しながらたど」る動作と共通する構成を備えたものである。　
　
　そうすると、本願補正発明と引用発明とは、
「遊技域中に設けられた表示画面と、　
　該表示画面中の一領域に図柄を表示する表示領域を設定し、該表示領域に表示する前記図柄を連続的に変更する変動表示を行った後、該変動表示を停止させて停止図柄を明示する表示制御手段と、
　該表示制御手段が起動し、前記停止図柄として特定の図柄が前記表示領域に明示された場合のみ、特別遊技を実行する特別遊技実行手段とを備えたパチンコ機において、
　前記表示制御手段は、
　前記表示領域での停止図柄の組み合わせが、特定の図柄の組み合わせを構成する可能性があるリーチ状態であるとき、リーチ状態で変動表示中の表示領域において一度に表示する前記図柄の数を増加表示できるように拡大表示領域を形成するとともに、該拡大表示領域で変動表示中の複数の図柄の中から、出現の頻度が等しい状態で図柄を抽出する手段と、
　出現の頻度が等しい状態で抽出された図柄を明示することで、該拡大表示領域で変動表示中の複数の図柄のうち１つを明示しながらたどり、停止図柄を選択明示する手段とを備えたパチンコ機。」の点で一致し、以下の点で相違する。
　
　相違点Ａ．本願補正発明が、表示領域に表示する図柄の変動表示を「予め定められた順列に従って」行い、且つ、拡大表示領域中に表示する図柄の順番を「前記順列通り」に行うものであるのに対し、引用発明においては、それらが明らかでない点。
　相違点Ｂ．拡大表示領域で行う図柄の抽出を、本願補正発明は、「無秩序」な状態で行うのに対し、引用発明ではそれが明らかでない点。
　相違点Ｃ．本願補正発明が、停止図柄を「強調表示」して選択明示するものであるのに対し、引用発明においては、その点が明らかでない点。
　
（２）相違点Ａの検討　
　図柄合わせゲームをするパチンコ機において、表示領域に表示する図柄の変動表示を「予め定められた順列に従って」行うことは一般的な技術事項である（例えば、特開平６−３１２０５２号公報の段落【００１５】及び【図２９】を参照されたい。以下、「一般技術」という。）。　
　そして、上記第２．【２】［２］（１）（イ）に摘示した引用例の記載によれば、「通常画面１１ａにおける左及び中表示箇所１２Ｌ及び１２Ｃによる表示が・・・リーチ目となったとき、・・・右表示箇所１２Ｒにどのような図柄２０がきて停止するのかを、特別画面１１ｂの全体を利用して一目瞭然に表示する」ことによって、遊技者にとって「停止表示してほしい図柄が今どこに存在していて、それが当り矢印２１ａに対してどれだけ離れているか」がわかるものであり、また、上記第２．【２】［２］（１）（ク）に摘示した引用例の記載によれば、「通常画面１１ａと特別画面１１ｂとの切換えがあっても、各画面における連続性を表示するようにし・・・リーチ目となったときに、通常画面１１ａにおいて全ての表示箇所１２Ｌ、１２Ｃ及び１２Ｒを順次段階的に小さくしながら隅の方へ移行させて表示し、その移行が完了した時点で特別画面１１ｂに切り換える」ものであるから、引用例においては、特別画面１１ｂ（拡大表示領域）と、通常画面１１ａの表示箇所１２Ｌ、１２Ｃ、１２Ｒ（表示領域）との間に「連続性」を持たせることが課題とされているところ、その「連続性」を持たせるための具体化手段として、表示される図柄の順番を予め定められた順列通りに揃えることが、当業者にとって格段の創意を要することであるとはいえない。
　してみれば、引用発明に、上記一般技術を採用するとともに、図柄の順番を予め定められた順列通りに揃えて、上記相違点Ａに係る本願補正発明のように構成することは、当業者であれば容易に想到し得る事項である。　
　
（３）相違点Ｂの検討
　表示領域で、変動表示中の１つの図柄を除く停止図柄が揃ってリーチ状態になってから、前記変動表示中の１つの図柄の変動を一旦停止させ、前記１つの図柄を再び変動させる表示態様を備えたパチンコ機は、例えば、特開平９−２４１４１号公報（段落【００３１】、【図１２】（Ｂ）等を参照されたい）、特開平９−５６８９４号公報（段落【００３１】、【図６】等を参照されたい）に記載されるように、従来周知の技術事項（以下、「周知技術」という。）である。　
　上記周知技術において、変動表示中の１つの図柄の一旦停止は、リーチ状態になってからの変動を、予め定められた所定図柄数とすることにより行われるものであるから、リーチ状態となるタイミングで前記１つの図柄が何を表示しているかによって、その後一旦停止する図柄が決まるものであると言い換えられるが、このリーチ状態となるタイミングは、前記１つの図柄がそのときに何を表示しているかとは無関係であり、また、（最終的な）停止図柄とも無関係に決定されるものである。すなわち、この意味において、リーチ状態となるタイミングが前記１つの図柄の表示と無関係に決定される結果、一旦停止する図柄が、全ての図柄の中から「無秩序」な状態で抽出されるものであるということができる。
　してみれば、引用発明における図柄の抽出の態様として、上記の周知技術を採用することによって、上記相違点Ｂに係る本願補正発明のように構成することは、当業者が容易に想到できるものである。　
　
（４）相違点Ｃの検討
　液晶表示ゲーム、タッチパネル式操作機器等において、選択する箇所を「強調表示」することは、従来周知の技術事項であり、引用発明において選択明示される停止図柄に、この周知技術を適用することは、当業者が容易に想到できるものである。
　
（５）本願補正発明の作用効果の検討　
　本願補正発明の作用効果は、引用発明及び上記一般技術並びに上記周知技術に基づいて当業者が当然予測できるものである。　
　　
（６）補正の却下の決定のむすび　
　よって、本件補正後の請求項１に記載された本願補正発明は、引用発明及び上記一般技術並びに上記周知技術に基づいて当業者が容易に発明をすることができたものであり、特許法第２９条第２項の規定により、その特許出願の際に独立して特許を受けることができない。　
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１６年７月３０日付の手続補正が上記のとおり却下されているので、平成１５年１１月４日付の手続補正により補正された明細書及び図面の記載からみて、その特許請求の範囲の請求項１に記載された事項により特定される以下のとおりのものである。　
　「【請求項１】　遊技域中に設けられた表示画面と、
　該表示画面中の一領域に図柄を表示する表示領域を設定し、該表示領域に表示する前記図柄を予め定められた順列に従って連続的に変更する変動表示を行った後、該変動表示を停止させて停止図柄を明示する表示制御手段と、
　該表示制御手段が起動し、前記停止図柄として特定の図柄が前記表示領域に明示された場合のみ、特別遊技を実行する特別遊技実行手段とを備えたパチンコ機において、
　前記表示制御手段は、
　前記表示領域での停止図柄の組み合わせが、特定の図柄の組み合わせを構成する可能性があるリーチ状態であるとき、該リーチ状態で変動表示中の表示領域において一度に表示する前記図柄の数を増加表示できるように拡大表示領域を形成するとともに、該拡大表示領域で変動表示中の複数の図柄のうち１つを明示しながらたどり、停止図柄を強調表示して選択明示する手段を備えることを特徴とするパチンコ機。」 
　
　
【２】特許法第２９条２項の適用
［１］引用例に記載の発明　
　引用例に記載の発明は、上記第２．【２】［２］に示したとおりである。　
　
［２］対比・判断　
　本願発明は、本願補正発明において、拡大表示領域で変動表示中の複数の図柄のうち１つを明示しながらたどり、停止図柄を強調表示して選択明示する手段を備える表示制御手段が、「拡大表示領域で変動表示中の複数の図柄の中から無秩序で、且つ出現の頻度が等しい状態で図柄を抽出する手段」を備えたものであり、また、「前記拡大表示領域中に表示する図柄の順番を前記順列通りに行うとともに、前記無秩序で、且つ出現の頻度が等しい状態で抽出された図柄を明示する」ものであるとした特定事項を省いたものである。
　そうすると、本願発明の構成要素を全て含むものに相当する本願補正発明が、上記第２．【２】［３］に説示したように、上記引用発明及び上記一般技術並びに上記周知技術に基づいて、当業者が容易に発明をすることができたものであるから、本願発明は、同様の理由により、上記引用発明及び上記一般技術並びに上記周知技術に基づいて、当業者が容易に発明をすることができたものである。　　
　
　
［３］むすび　
　以上のとおり、本願発明は、引用例に記載の発明及び一般技術並びに周知技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。